(57)【要約】【課題】公衆網が未接続の場合には、自動的に内線に接続する利便性の高い回線選択装置を提供する。【解決手段】接続検出手段３、回線選択制御手段４、回線切替手段５、選択キー６、キー禁止手段７を有する回線選択手段２を備え、コネクタＣＮ１に公衆網（外線）ＮＴ１が接続されない場合、Ｌレベルの検出信号ＳＤを回線選択制御手段４およびキー禁止手段７に供給し、選択キー６の内線ボタン６または外線ボタン６ｂの操作によるキー情報ＪＧ，ＪＮを阻止し、回線選択制御手段４から常に内線網選択信号ＳＮを回線切替手段５に供給し、ＣＡＴＶ網（内線）ＮＴ２（図ではコーデック９）をアナログ電話機ＴＥＬに接続することにより、選択キー６の内線ボタン６または外線ボタン６ｂの操作を無効にして自動的にアナログ電話機ＴＥＬに接続するＣＡＴＶ網（内線）ＮＴ２を選択する。【選択図】　図１
2004040398.tif 000002
【特許請求の範囲】
【請求項１】
アナログ公衆網と自治体が提供する内線網を収容し、前記公衆網と前記内線網を切り替えて１台のアナログ電話機に接続する回線選択装置であって、
前記公衆網が接続されていない場合に、前記アナログ電話機に接続する回線を前記内線網に切り替える回線選択手段を備えたことを特徴とする回線選択装置。
【請求項２】
前記回線選択手段は、前記公衆網の接続を検出して検出信号を出力する接続検出手段と、前記接続検出手段から検出信号が検出されない時、内線網選択信号を出力する回線選択制御手段と、前記回線選択制御手段から供給される内線網選択信号に基づいて前記内線網に切り替え、前記アナログ電話機に接続する回線切替手段と、を備えたことを特徴とする請求項１記載の回線選択装置。
【請求項３】
前記回線選択手段は、前記接続検出手段から検出信号が検出されない時、選択キーからのキー情報を無効にするキー禁止手段を備えたことを特徴とする請求項２記載の回線選択装置。
【請求項４】
アナログ公衆網と自治体が提供する内線網を取り込み、前記公衆網と前記内線網を切り替えて１台のアナログ電話機に接続する回線選択装置の回線選択方法であって、
公衆網が接続されているか否かを判定するステップ（Ｓ１）と、
公衆網が接続されていない場合、内線網を電話機に接続するステップ（Ｓ２）と、
内線網と公衆網を切り替えるキー操作を無効にするステップ（Ｓ３）と、
を備え、前記公衆網が接続されない場合には、自動的に前記内線網を前記電話機に接続切替えすることを特徴とする回線選択装置の回線選択方法。
【発明の詳細な説明】
【０００１】
【発明の属する技術分野】
本発明はアナログ公衆網と自治体が提供する内線網を収容し、切り替えて１台のアナログ電話機に接続する回線選択装置およびその回線選択方法に係り、特にアナログ公衆網が収容されない場合、自動的に内線網をアナログ電話機に接続する回線選択装置およびその回線選択方法に関する。
【０００２】
【従来の技術】
従来の回線選択装置において、公衆回線および自治体が提供する閉地域の電話サービス回線（例えば、ＣＡＴＶ網）を内線とした２回線を収容し、切替えボタンを手動操作して公衆回線と内線のいずれかを選択するものは知られている。
【０００３】
また、従来の回線選択装置は、特開平７−３１２６４５号公報に開示されているように、二つの通信回線のうち、いずれか一方の通信回線に、この通信回線の局給電信号を検出する局給電検出部を設け、局給電検出部が局給電信号を検出した場合に、一方の通信回線を選択するように構成されている。
【０００４】
さらに、従来の回線選択の技術は、特開平１１−４３０３号公報に開示されているように、電話機に接続され、電話機から入力される選択信号に基づいて所定の第１種通信業者を識別する識別信号を付加するＬＣＲ（Ｌｅａｓｔ　Ｃｏｓｔ　Ｒｏｕｔｉｎｇ）回路と、付加された識別信号に応じて電話機とＣＡＴＶ網または電話回線とを接続させる回線切替機とを備えた構成のものが知られている。
【０００５】
【発明が解決しようとする課題】
従来の回線選択装置または回線選択の技術は、公衆回線、一方の通信回線または電話回線を装置から外した場合、ダイヤル発信の度に接続されている回線を確認したり、内線またはＣＡＴＶ網を手動で選択しなければならなかったり、ＣＡＴＶ網が選択されないケースが発生したりして操作性や利便性が低下する課題がある。
【０００６】
この発明はこのような課題を解決するためになされたもので、その目的は公衆網が未接続の場合には、自動的に内線に接続する利便性の高い回線選択装置を提供することにある。
【０００７】
【課題を解決するための手段】
前記課題を解決するためこの発明に係る回線選択装置は、アナログ公衆網と自治体が提供する内線網を収容し、公衆網と内線網を切り替えて１台のアナログ電話機に接続する回線選択装置であって、公衆網が接続されていない場合に、アナログ電話機に接続する回線を内線網に切り替える回線選択手段を備えたことを特徴とする。
【０００８】
この発明に係る回線選択装置は、公衆網が接続されていない場合に、アナログ電話機に接続する回線を内線網に切り替える回線選択手段を備えたので、公衆網が未接続の状態での内線切替えを何ら切替え操作をすることなく自動的に切替えができ、使い勝手ならびに利便性の向上を図ることができる。なお、装置に公衆網が接続されていない場合とは、公衆網（公衆回線）を直接外線専用の電話機に接続している場合、携帯電話機を利用している場合等、公衆網（外線）に電話機を接続する必要がない場合のことである。
【０００９】
また、この発明に係る回線選択手段は、公衆網の接続を検出して検出信号を出力する接続検出手段と、接続検出手段から検出信号が検出されない時、内線網選択信号を出力する回線選択制御手段と、回線選択制御手段から供給される内線網選択信号に基づいて内線網に切り替え、アナログ電話機に接続する回線切替手段とを備えたことを特徴とする。
【００１０】
この発明に係る回線選択手段は、公衆網の接続を検出して検出信号を出力する接続検出手段と、接続検出手段から検出信号が検出されない時、内線網選択信号を出力する回線選択制御手段と、回線選択制御手段から供給される内線網選択信号に基づいて内線網に切り替え、アナログ電話機に接続する回線切替手段とを備えたので、装置に公衆網が未接続時には、自動的に内線網をアナログ電話機に接続することができ、利便性の向上を実現することができる。
【００１１】
さらに、この発明に係る回線選択手段は、接続検出手段から検出信号が検出されない時、選択キーからのキー情報を無効にするキー禁止手段を備えたことを特徴とする。
【００１２】
この発明に係る回線選択手段は、接続検出手段から検出信号が検出されない時、選択キーからのキー情報を無効にするキー禁止手段を備えたので、公衆網が装置に未接続の場合には、選択キーの回線切替え操作を無効にして内線接続状態を維持することができ、選択キーの誤操作を回避することができる。
【００１３】
また、この発明に係る回線選択装置の回線選択方法は、アナログ公衆網と自治体が提供する内線網を取り込み、公衆網と内線網を切り替えて１台のアナログ電話機に接続する回線選択方法であって、公衆網が接続されているか否かを判定するステップ（Ｓ１）と、公衆網が接続されていない場合、内線網を電話機に接続するステップ（Ｓ２）と、内線網と公衆網を切り替えるキー操作を無効にするステップ（Ｓ３）とを備え、公衆網が接続されない場合には、自動的に内線網を電話機に接続切替えすることを特徴とする。
【００１４】
この発明に係る回線選択装置の回線選択方法は、アナログ公衆網と自治体が提供する内線網を取り込み、公衆網と内線網を切り替えて１台のアナログ電話機に接続する回線選択方法であって、公衆網が接続されているか否かを判定するステップ（Ｓ１）と、公衆網が接続されていない場合、内線網を電話機に接続するステップ（Ｓ２）と、内線網と公衆網を切り替えるキー操作を無効にするステップ（Ｓ３）とを備えたので、自動的に内線網をアナログ電話機に接続することができるとともに、選択キーの誤操作を回避することができ、利便性の向上を実現することができる。
【００１５】
【発明の実施の形態】
以下、この発明の実施の形態を添付図面に基づいて説明する。なお、本発明は、アナログ公衆網（外線）と自治体が提供する閉地域のＣＡＴＶ網（内線）の２回線を収容し、アナログ公衆網（外線）またはＣＡＴＶ網（内線）を選択してアナログ電話機に接続する回線選択装置であって、装置にアナログ公衆網（外線）が未接続の場合に、自動的にＣＡＴＶ網（内線）をアナログ電話機に接続するとともに、アナログ電話機に接続するアナログ公衆網（外線）またはＣＡＴＶ網（内線）を切り替える選択キーの操作を禁止する回線選択装置を提供する。
【００１６】
図１はこの発明に係る回線選択装置の実施の形態基本ブロック構成図である。図１において、回線選択装置１は、回線選択手段２、音声処理手段８、コーデック９、コネクタＣＮ１、コネクタＣＮ２、コネクタＣＮ３を備え、コネクタＣＮ１を介して収容する公衆網（外線）ＮＴ１、コネクタＣＮ２を介して収容するＣＡＴＶ網（内線）ＮＴ２の２回線のいずれかを回線選択手段２で選択（切替え）し、コネクタＣＮ３を介して接続するアナログ電話機ＴＥＬに接続して外線発信、内線発信または外線着信、内線着信に１台のアナログ電話機ＴＥＬで対応する。なお、回線選択装置１は、ユーザ宅にアナログ電話機ＴＥＬとともに配置し、回線選択装置１上にアナログ電話機ＴＥＬを載せて使用する。
【００１７】
コネクタＣＮ１，コネクタＣＮ２は、モジュラープラグ／ジャック等で構成し、それぞれアナログの公衆網（外線）ＮＴ１，ＩＰパケットのＣＡＴＶ網（内線）ＮＴ２を収容（接続）する。なお、コネクタＣＮ１，コネクタＣＮ２は、それぞれ公衆網（外線）ＮＴ１，ＣＡＴＶ網（内線）ＮＴ２に着脱可能とする。
【００１８】
コネクタＣＮ３は、モジュラープラグ／ジャック等で構成し、アナログ電話機ＴＥＬを接続する。
【００１９】
回線選択手段２は、公衆網（外線）ＮＴ１およびＣＡＴＶ網（内線）ＮＴ２が接続されている場合、内線ボタンまたは外線ボタンを有する選択キー（６）を操作することにより、操作したボタン（内線ボタン，外線ボタン）に対応した回線（ＣＡＴＶ網（内線）ＮＴ２，公衆網（外線）ＮＴ１）をアナログ電話機ＴＥＬに選択的に接続する。
【００２０】
また、回線選択手段２は、コネクタＣＮ１に公衆網（外線）ＮＴ１が接続（収容）された場合には、公衆網（外線）ＮＴ１から供給される局電圧を検出するとともに、選択キー（６）の内線ボタンまたは外線ボタンの操作を有効にし、選択キー（６）の操作に対応して公衆網（外線）ＮＴ１またはＣＡＴＶ網（内線）ＮＴ２を切り替えてアナログ電話機ＴＥＬに接続する。
【００２１】
さらに、回線選択手段２は、コネクタＣＮ１に公衆網（外線）ＮＴ１が接続（収容）されない場合には、公衆網（外線）ＮＴ１から供給される局電圧を検出することができず、局電圧を検出しない場合には、選択キー（６）の内線ボタンまたは外線ボタンの操作を無効にし、かつ自動的にＣＡＴＶ網（内線）ＮＴ２を選択（切替え）してアナログ電話機ＴＥＬに接続する。
【００２２】
なお、コネクタＣＮ１に公衆網（外線）ＮＴ１が接続（収容）されない場合とは、アナログ電話機ＴＥＬのユーザが公衆網（外線）ＮＴ１専用に直接アナログ電話機ＴＥＬを接続して使用するケース、外線として携帯電話機を利用するケース等がある。
【００２３】
このように、この発明に係る回線選択装置１は、公衆網（公衆網（外線）ＮＴ１）が接続されていない場合に、アナログ電話機ＴＥＬに接続する回線を内線網（ＣＡＴＶ網（内線）ＮＴ２）に切り替える回線選択手段２を備えたので、公衆網が未接続の状態での内線切替えを何ら切替え操作をすることなく自動的に切替えができ、使い勝手ならびに利便性の向上を図ることができる。
【００２４】
回線選択手段２は、マイクロプロセッサを基本に各種処理機能、判定機能、信号発生機能、スイッチ、キー等で構成し、接続検出手段３、回線選択制御手段４、回線切替手段５、選択キー６、キー禁止手段７を備える。
【００２５】
接続検出手段３は、状態変化検出機能、ラッチ機能を備え、公衆網（外線）ＮＴ１が未接続で局電源が供給されない状態から公衆網（外線）ＮＴ１が接続されて局電源が供給される状態の電圧変化（例えば、０Ｖ→４８Ｖの変化）を検出し、検出信号ＳＤを回線選択制御手段４およびキー禁止手段７に提供する。検出信号ＳＤは、公衆網（外線）ＮＴ１が未接続時には、例えばＬレベルに設定し、公衆網（外線）ＮＴ１が接続された場合には、Ｈレベルに設定する。
【００２６】
また、接続検出手段３は、ＬレベルまたはＨレベルの検出信号ＳＤをそれぞれ公衆網（外線）ＮＴ１の未接続時の状態または公衆網（外線）ＮＴ１の接続時の状態に応じてラッチする。
【００２７】
回線選択制御手段４は、キーインタフェース、判定機能、信号発生機能を備え、公衆網（外線）ＮＴ１がコネクタＣＮ１に接続され、接続検出手段３から、例えばＨレベルの検出信号ＳＤが供給された状態で、選択キー６の内線ボタン６ａ操作に対応したキー情報ＪＮが供給されると、内線網選択信号ＳＮを回線切替手段５に供給する。
【００２８】
また、回線選択制御手段４は、接続検出手段３から、例えばＨレベルの検出信号ＳＤが供給された状態で、選択キー６の外線ボタン６ｂ操作に対応したキー情報ＪＧが供給されると、外線網選択信号ＳＧを回線切替手段５に供給する。
【００２９】
さらに、回線選択制御手段４は、公衆網（外線）ＮＴ１がコネクタＣＮ１に未接続で、接続検出手段３から、例えばＬレベルの検出信号ＳＤが供給された状態では、選択キー６の内線ボタン６ａまたは外線ボタン６ｂの操作に関係なく、常に内線網選択信号ＳＮを回線切替手段５に供給する。
【００３０】
回線切替手段５は、アナログスイッチやリレー等のスイッチで構成し、回線選択制御手段４から内線網選択信号ＳＮが供給される場合には、公衆網（外線）ＮＴ１とアナログ電話機ＴＥＬを接続する（破線表示側）。
【００３１】
また、回線切替手段５は、回線選択制御手段４から外線網選択信号ＳＧが供給される場合には、コーデック９（ＣＡＴＶ網（内線）ＮＴ２側）とアナログ電話機ＴＥＬを接続する（実線表示側）。
【００３２】
選択キー６は、内線ボタン６ａおよび外線ボタン６ｂを備えた押し釦スイッチで構成し、内線ボタン６ａまたは外線ボタン６ｂに対応したキー情報ＪＮまたはキー情報ＪＧを回線選択制御手段４およびキー禁止手段７に供給する。
【００３３】
キー禁止手段７は、アナログスイッチ、ＭＯＳＦＥＴ等のスイッチング素子で構成し、接続検出手段３からＬレベルの検出信号ＳＤが供給されると、キー情報ＪＮ，ＪＧの回線選択制御手段４への供給を阻止し、選択キー６の内線ボタン６ａおよび外線ボタン６ｂの操作を無効にする。
【００３４】
また、キー禁止手段７は、接続検出手段３からＨレベルの検出信号ＳＤが供給されると、選択キー６の内線ボタン６ａおよび外線ボタン６ｂの操作を有効にし、キー情報ＪＮ，ＪＧを回線選択制御手段４に供給する。
【００３５】
図２はこの発明に係るキー禁止手段の一実施の形態回路図である。図２において、キー禁止手段７は、ｎチャネルＭＯＳＦＥＴ−Ｑ１、インバータゲートＩＮＶとから構成し、公衆網（外線）ＮＴ１がコネクタＣＮ１に未接続で、接続検出手段３からＬレベルの検出信号ＳＤが供給されると、インバータゲートＩＮＶで検出信号ＳＤ（Ｌレベル）を極性反転してＨレベルの信号をＭＯＳＦＥＴ−Ｑ１のゲートに供給する。
【００３６】
ｎチャネルＭＯＳＦＥＴ−Ｑ１は、オープンドレイン状態でキー情報ＪＮ，ＪＨのラインに接続し、Ｌレベルの検出信号ＳＤでオン状態となり、キー情報ＪＮ，ＪＨのラインを接地（ＧＮＤ）に短絡して回線選択制御手段４に供給するキー情報ＪＮ，ＪＨを阻止することにより、選択キー６の内線ボタン６ａおよび外線ボタン６ｂの操作を無効にする。
【００３７】
また、キー禁止手段７は、公衆網（外線）ＮＴ１がコネクタＣＮ１に接続され、接続検出手段３からＨレベルの検出信号ＳＤが供給されると、インバータゲートＩＮＶで検出信号ＳＤ（Ｈレベル）を極性反転してＬレベルの信号をＭＯＳＦＥＴ−Ｑ１のゲートに供給し、ＭＯＳＦＥＴ−Ｑ１をオフ状態にしてキー情報ＪＮ，ＪＨを回線選択制御手段４に供給することにより、選択キー６の内線ボタン６ａおよび外線ボタン６ｂの操作を有効にする。
【００３８】
このように、回線選択手段２は、コネクタＣＮ１に公衆網（外線）ＮＴ１が接続されると、接続検出手段３が公衆網（外線）ＮＴ１の局電圧を検出してＨレベルの検出信号ＳＤを回線選択制御手段４およびキー禁止手段７に供給し、選択キー６の内線ボタン６ａまたは外線ボタン６ｂの操作によるキー情報ＪＮ，ＪＧを回線選択制御手段４に供給してキー情報ＪＧまたはキー情報ＪＮに対応した外線網選択信号ＳＧまたは内線網選択信号ＳＮを回線切替手段５に供給し、外線網選択信号ＳＧが供給された場合、公衆網（外線）ＮＴ１をアナログ電話機ＴＥＬに接続し、内線網選択信号ＳＮが供給された場合には、ＣＡＴＶ網（内線）ＮＴ２（図ではコーデック９）をアナログ電話機ＴＥＬに接続することにより、アナログ電話機ＴＥＬに接続する公衆網（外線）ＮＴ１またはＣＡＴＶ網（内線）ＮＴ２を選択する。
【００３９】
一方、回線選択手段２は、コネクタＣＮ１に公衆網（外線）ＮＴ１が接続されないと、接続検出手段３が公衆網（外線）ＮＴ１の局電圧を検出しないため、Ｌレベルの検出信号ＳＤを回線選択制御手段４およびキー禁止手段７に供給し、選択キー６の内線ボタン６ａまたは外線ボタン６ｂの操作によるキー情報ＪＮ，ＪＧを阻止し、回線選択制御手段４から常に内線網選択信号ＳＮを回線切替手段５に供給し、ＣＡＴＶ網（内線）ＮＴ２（図ではコーデック９）をアナログ電話機ＴＥＬに接続することにより、選択キー６の内線ボタン６ａまたは外線ボタン６ｂの操作を無効にして自動的にアナログ電話機ＴＥＬに接続するＣＡＴＶ網（内線）ＮＴ２を選択することができる。
【００４０】
音声処理手段８は、コネクタＣＮ２に接続されたＣＡＴＶ網（内線）ＮＴ２から受信した音声ＩＰパケットを処理してディジタル音声信号ＤＡに変換し、ディジタル音声信号ＤＡをコーデック９に供給する。
【００４１】
また、音声処理手段８は、コーデック９から供給されるディジタル音声信号ＤＡに処理を施し、音声ＩＰパケットをコネクタＣＮ２を介してＣＡＴＶ網（内線）ＮＴ２に送信する。
【００４２】
コーデック９は、音声処理手段８から供給されるディジタル信号ＤＡをアナログ音声信号ＳＡに復号し、アナログ音声信号ＳＡを回線切替手段５に供給し、スイッチが実線表示側に切替えられた場合に、アナログ音声信号ＳＡをアナログ電話機ＴＥＬに供給する。つまり、ＣＡＴＶ網（内線）ＮＴ２がアナログ電話機ＴＥＬに接続されることになる。
【００４３】
また、コーデック９は、回線切替手段５のスイッチが実線表示側に切替えられている場合に、アナログ電話機ＴＥＬから供給されるアナログ音声信号ＳＡに符号化を施してディジタル音声信号ＤＡに変換し、ディジタル音声信号ＤＡを音声処理手段８に供給する。
【００４４】
このように、この発明に係る回線選択手段２は、公衆網（公衆網（外線）ＮＴ１）の接続を検出して検出信号ＳＤ（例えば、Ｈレベル）を出力する接続検出手段３と、接続検出手段３から検出信号ＳＤ（例えば、Ｈレベル）が検出されない時、内線網選択信号ＳＮを出力する回線選択制御手段４と、回線選択制御手段４から供給される内線網選択信号ＳＮに基づいて内線網（ＣＡＴＶ網（内線）ＮＴ２）に切り替え、アナログ電話機ＴＥＬに接続する回線切替手段５とを備えたので、装置１に公衆網（公衆網（外線）ＮＴ１）が未接続時には、自動的に内線網（ＣＡＴＶ網（内線）ＮＴ２）をアナログ電話機ＴＥＬに接続することができ、利便性の向上を実現することができる。
【００４５】
また、この発明に係る回線選択手段２は、接続検出手段３から検出信号ＳＤ（例えば、Ｈレベル）が検出されない時、選択キー６からのキー情報ＪＧ，ＪＮを無効にするキー禁止手段７を備えたので、公衆網（公衆網（外線）ＮＴ１）が装置１に未接続の場合には、選択キー（内線ボタン６ａ，外線ボタン６ｂ）の回線切替え操作を無効にして内線接続状態を維持することができ、選択キーの誤操作を回避することができる。
【００４６】
次に、この発明に係る回線選択装置１の回線選択方法について説明する。図３はこの発明に係る回線選択装置の回線選択方法の一実施の形態要部動作フロー図である。なお、動作フローは、図１を参照して説明する。
【００４７】
最初に、ステップＳ１では、公衆網が接続されているか否かを判定する。なお、ステップＳ１の動作は、接続検出手段３が実行する。
【００４８】
ステップＳ１で、公衆網が接続されていない場合には、ステップＳ２に移行する。また、公衆網が接続されている場合には、図１で説明した公衆網（公衆網（外線）ＮＴ１）と内線網（ＣＡＴＶ網（内線）ＮＴ２）の切替え動作を実行する。
【００４９】
ステップＳ２では、内線網を電話機に接続する。なお、ステップＳ２の動作は、回線選択制御手段４および回線切替手段５が実行する。
【００５０】
ステップＳ３では、内線網と公衆網を切り替えるキー操作を無効にする。なお、ステップＳ３の動作は、キー禁止手段７が実行する。
【００５１】
このように、この発明に係る回線選択装置の回線選択方法は、アナログ公衆網（公衆網（外線）ＮＴ１）と自治体が提供する内線網（ＣＡＴＶ網（内線）ＮＴ２）を取り込み、公衆網と内線網を切り替えて１台のアナログ電話機ＴＥＬに接続する回線選択方法であって、公衆網が接続されているか否かを判定するステップＳ１と、公衆網が接続されていない場合、内線網を電話機に接続するステップＳ２と、内線網と公衆網を切り替えるキー操作を無効にするステップＳ３とを備えたので、自動的に内線網（ＣＡＴＶ網（内線）ＮＴ２）をアナログ電話機ＴＥＬに接続することができるとともに、選択キーの誤操作を回避することができ、利便性の向上を実現することができる。
【００５２】
【発明の効果】
以上説明したように、この発明に係る回線選択装置は、公衆網が接続されていない場合に、アナログ電話機に接続する回線を内線網に切り替える回線選択手段を備えたので、公衆網が未接続の状態での内線切替えを何ら切替え操作をすることなく自動的に切替えができ、使い勝手ならびに利便性の向上を図ることができる。
【００５３】
また、この発明に係る回線選択手段は、公衆網の接続を検出して検出信号を出力する接続検出手段と、接続検出手段から検出信号が検出されない時、内線網選択信号を出力する回線選択制御手段と、回線選択制御手段から供給される内線網選択信号に基づいて内線網に切り替え、アナログ電話機に接続する回線切替手段とを備えたので、装置に公衆網が未接続時には、自動的に内線網をアナログ電話機に接続することができ、利便性の向上を実現することができる。
【００５４】
さらに、この発明に係る回線選択手段は、接続検出手段から検出信号が検出されない時、選択キーからのキー情報を無効にするキー禁止手段を備えたので、公衆網が装置に未接続の場合には、選択キーの回線切替え操作を無効にして内線接続状態を維持することができ、選択キーの誤操作を回避することができる。
【００５５】
また、この発明に係る回線選択装置の回線選択方法は、アナログ公衆網と自治体が提供する内線網を取り込み、公衆網と内線網を切り替えて１台のアナログ電話機に接続する回線選択方法であって、公衆網が接続されているか否かを判定するステップ（Ｓ１）と、公衆網が接続されていない場合、内線網を電話機に接続するステップ（Ｓ２）と、内線網と公衆網を切り替えるキー操作を無効にするステップ（Ｓ３）とを備えたので、自動的に内線網をアナログ電話機に接続することができるとともに、選択キーの誤操作を回避することができ、利便性の向上を実現することができる。
【図面の簡単な説明】
【図１】この発明に係る回線選択装置の実施の形態基本ブロック構成図
【図２】この発明に係るキー禁止手段の一実施の形態回路図
【図３】この発明に係る回線選択装置の回線選択方法の一実施の形態要部動作フロー図
【符号の説明】
１　回線選択装置
２　回線選択手段
３　接続検出手段
４　回線選択制御手段
５　回線切替手段
６　選択キー
７　キー禁止手段
８　音声処理手段
９　コーデック
ＣＮ１，ＣＮ２，ＣＮ３　コネクタ
ＮＴ１　公衆網（外線）
ＮＴ２　ＣＡＴＶ網（内線）
ＴＥＬ　アナログ電話機
ＳＤ　　検出信号
ＳＮ　　内線網選択信号
ＳＧ　　外線網選択信号
ＪＮ，ＪＧ　　キー情報
ＩＰＡ　　音声パケット
ＤＡ　　ディジタル音声信号ＤＡ
ＳＡ　　アナログ音声信号
【図１】
2004040398.tif 000003
【図２】
2004040398.tif 000004
【図３】
2004040398.tif 000005